(57)【特許請求の範囲】
【請求項１】
戸体をレールに沿って移動自在に支持するランナー部材であって、
上記ランナー部材が移動する一方向に突出し、凹所を介して相互に隣接した、第１突起および、その凹所に向きを反転させて嵌入させることが可能な形状とした第２突起を備え、
上記第１突起および上記第２突起は、同一方向を向く一方の側壁が同一角度に傾斜した傾斜壁に形成されて、先細り形状となっており、
上記第１突起の傾斜壁の先端部に、該傾斜壁の壁面より上記凹所の開口の一部を塞ぐように突出した係合凸部が設けられ、上記第２突起の傾斜壁の基端部に、該傾斜壁の壁面に開口を有した係合凹部が設けられており、上記第２突起の先端の幅寸法が上記係合凸部によって一部が塞がれた上記凹所の開口の幅寸法よりも小さいことを特徴とするランナー部材。
【請求項２】
請求項１において、
上記第１突起には肉抜き凹部が形成されているランナー部材。
【請求項３】
請求項１または２において、
上記係合凸部の突起先端側の角部に係合用ガイド面が形成されているランナー部材。
【請求項４】
請求項１〜３のいずれか１項において、
上記係合凹部の突起先端側の開口角部に係合解除用ガイド面が形成されているランナー部材。
【請求項５】
請求項１〜４のいずれか１項に記載のランナー部材を複数備えた折れ戸。
【発明の詳細な説明】
【技術分野】
【０００１】
本発明は、戸体をレールに沿って移動自在に支持するランナー部材および折れ戸の改良に関する。
【背景技術】
【０００２】
例えば、２枚の戸体が開閉自在にヒンジ結合された折れ戸では、ランナー部材が２枚の戸体のそれぞれに対応してレールに沿って移動自在に取り付けられ、それらのランナー部材が各戸体の側端部の上端に連結されて、戸体を移動自在に支持している。
【０００３】
このランナー部材としては、２枚の戸体が重なって折れ戸が完全に開いた状態では、各戸体の側端部に配されたランナー部材の端部が相互に近接し、それぞれの端部に形成された凹凸部同士が雌雄実結合のように嵌合する構造のものがある（例えば、特許文献１、２参照）。なお、本発明の説明図面として添付した図６には一対のランナー部材３、３が嵌合した状態を示しているが、上記文献に記載されたものも図６のものと概ね同様の状態で嵌合する。
【０００４】
折れ戸が完全に開いた状態では、このようにランナー部材の端部が相互に嵌合するので、戸体の端部におけるレールに直交する方向へのずれを規制できるし、特に特許文献１に記載されたランナー部材はさらに、端部同士が嵌合した状態を係合突起と係合溝との係合によって保持する構造となっているため、折れ戸をいったん完全に開いた状態にすれば、戸体の揺れなどにより自然に戸体端部間が離れてしまうことはなく、その状態を維持させることができる。
【０００５】
この係合突起は、凹凸部（同文献では「突出部」と記載）の側端面からレールに沿って相手のランナー部材側へと延びたバネ片の先端に形成されており、一方、係合溝は相手のランナー部材の突出部の側端面に形成されており、ランナー部材の端部同士が近接したときに、一方のランナー部材の係合突起の先端が他方のランナー部材の側端面に当たるとバネ片が弾性変形し、さらにバネ片が撓んだ状態で近接して係合突起が係合溝の位置に到達すると、バネ片が弾性復帰して係合突起が係合溝に嵌り込む構造となっている。
【０００６】
なお、この係合突起と係合溝との係合は、戸体端部間が戸体の揺れなどにより自然に離れることを防止できる程度のものであるため、折れ戸の閉操作によって容易に係合が解除されるようになっている。
【先行技術文献】
【特許文献】
【０００７】
【特許文献１】特開２００８−３０８９３３号公報
【特許文献２】特開２００６−１１２２２７号公報
【発明の概要】
【発明が解決しようとする課題】
【０００８】
このように、同文献の技術によれば、折れ戸の完全開の状態が簡易な構造で維持されるようになって利便性の高いものとなっているが、一方では、ランナー部材、特にバネ片や係合突起が経年により劣化しやすいという問題点もある。
【０００９】
すなわち、ランナー部材のバネ片は板バネとして形成され、その基端部が突出部の側端に連結（突出部とバネ片は一体化）された構造であるため、衣服などがバネ片やその先端の係合突起に引っ掛かると、バネ片が折れたり曲がったりするおそれがある。
【００１０】
また、係合突起は微小な突起であるため、折れ戸の開動作を繰り返すうちにバネ片がわずかに塑性変形したり、係合突起の先端が磨耗したり、係合溝にごみが溜まったりすれば、係合突起と係合溝との係合ができなくなるか、あるいは係合できたとしても外れやすくなってしまう可能性がある。
【００１１】
このように、バネ片および係合突起は、劣化、磨耗、損傷しやすい部材であるため、定期的なランナー部材の交換が必要とされ、より簡便で安価に保守、交換できるように、バネ片を一体化した突出部をランナー部材の本体部とは別体にしたものと想定できる。
【００１２】
本発明は、以上のような従来のランナー部材の問題点を考慮して提案されたもので、その目的は、戸体が完全に開状態となってランナー部材の端部同士が嵌合する際に、スムーズに嵌合できるとともに、ランナー部材間の嵌合状態を確実に、がたつきなく保持できるランナー部材を提供することにある。また、劣化、磨耗しにくいランナー部材を提供することも主たる目的に含まれている。
【課題を解決するための手段】
【００１３】
上記目的を達成するために、本発明に係るランナー部材は、戸体をレールに沿って移動自在に支持するランナー部材であって、ランナー部材が移動する一方向に突出し、凹所を介して相互に隣接した、第１突起および、その凹所に向きを反転させて嵌入させることが可能な形状とした第２突起を備え、第１突起および第２突起は、同一方向を向く一方の側壁が同一角度に傾斜した傾斜壁に形成されて、先細り形状となっており、第１突起の傾斜壁の先端部に、該傾斜壁の壁面より凹所の開口の一部を塞ぐように突出した係合凸部が設けられ、第２突起の傾斜壁の基端部に、該傾斜壁の壁面に開口を有した係合凹部が設けられており、第２突起の先端の幅寸法が係合凸部によって一部が塞がれた凹所の開口の幅寸法よりも小さいことを特徴とする。
【００１４】
ランナー部材をこのような構成とすることで、レールに沿って隣接する２枚の戸体の端部のそれぞれに、第１、第２突起が形成された端部同士が対向するようにランナー部材を取り付けることで、２枚の戸体の端部間が近接したときにランナー部材の端部同士が凹凸嵌合し、さらに一方のランナー部材の係合凸部と、他方のランナー部材の係合凹所とが係合するので、ランナー部材の嵌合状態を保持することができる。嵌合状態が保持できるので、戸体が揺れた程度では嵌合が外れることはなく、２枚の隣接した戸体を安定した状態に静止させておくことができる。
【００１５】
また、第１、第２突起は一方の側壁を傾斜壁として形成した先細り形状となっているため、相手のランナー部材との嵌合をスムーズにさせることができる。また、傾斜壁によって凹所の開口が広がり、それに嵌入する第２突起の先端が先細り形状となっているので、第１突起または第２突起の先端に形成された係合凸部が、相手のランナー部材の第２突起の凹所への嵌入をじゃますることなく、確実な凹凸嵌合が実現できる。
【００１６】
このようにランナー部材同士のスムーズな凹凸嵌合ができる構成であるため、端部間を隙間のない状態で嵌合させるような端部構造とすることができ、その結果、嵌合状態をがたつきなく維持させることができる。
【００１７】
さらに、このランナー部材は板バネなどの、劣化、磨耗、損傷しやすい部材を使用しない構成となっているため、ランナー部材を長期間にわたって交換することなく使用することができる。
【００１８】
また、このランナー部材は、相互に半回転させれば、隣接する２枚の戸体のいずれにも使用できるので、部材点数を少なくでき、その結果、製造や在庫管理等のコストを軽減できる。
【００１９】
本発明に係るランナー部材は、第１突起が肉抜き凹部を有したものとしてもよい。
【００２０】
このような構成にすることで、第１突起は、ランナー部材の端部同士の嵌合の際に弾性変形しやすくなるので、嵌合をスムーズにできる。また、突起が弾性変形しやすい構造であるため、嵌合したときに突起、凹所間で隙間の少ない形状にすることができ、そのため、嵌合した後のがたつきを少なくできる。
【００２１】
また、本発明に係るランナー部材は、係合凸部の突起先端側の角部に係合用ガイド面が形成されたものとしてもよい。
【００２２】
この構成によれば、係合凸部を設けた突起の相手ランナー部材の凹所への嵌め入れがスムーズになされる。
【００２３】
さらに、本発明に係るランナー部材は、係合凹部の突起先端側の開口角部に係合解除用ガイド面が形成されたものとしてもよい。
【００２４】
この構成によれば、係合凸部を設けた突起の相手ランナー部材の凹所からの抜き出しがスムーズになされる。
【００２５】
また、本発明に係る折れ戸は、上記いずれかのランナー部材を複数備えている。
【００２６】
このような折れ戸によれば、折れ戸が完全な開状態となったときには、折れ戸を構成する２枚の戸体に取り付けられたランナー部材の端部同士が嵌合するが、ランナー部材が上記の構成となっているため、折れ戸の完全な開状態を保持できる。
【発明の効果】
【００２７】
本発明に係るランナー部材は、上記のような構成とすることで、戸体が完全に開状態となってランナー部材の端部同士が嵌合する際に、スムーズに嵌合できるとともに、ランナー部材間の嵌合状態を確実に、がたつきなく保持できる。
【図面の簡単な説明】
【００２８】
【図１】本発明の一実施形態を示す図であり、折れ戸の一対の戸体に対して取り付けられた一対のランナー部材の底面図および要部拡大底面図を示している。本図、図２および図３には、折れ戸の開動作の状態を時系列に示している。
【図２】一対のランナー部材の底面図および要部拡大底面図である。
【図３】一対のランナー部材の底面図および要部拡大底面図である。
【図４】一対のランナー部材の正面図である。
【図５】ランナー部材の側面図である。
【図６】一対のランナー部材の各端部が相互に係合した状態を示す斜視図である。
【発明を実施するための形態】
【００２９】
以下に、本発明の実施の形態について、添付図面を参照しながら説明する。
【００３０】
図６は本発明の一実施形態を示す図であり、この図には、一対の戸体をヒンジ連結してなる折れ戸に対して取り付けられた一対のランナー部材の斜視図を示している。
【００３１】
折れ戸１は、クローゼットの扉や、相互に隣接する居室間の開閉可能な間仕切りとして使用され、回動可能にヒンジ連結された２枚の戸体２、２が、開口枠（不図示）の上下のレール４間（下部レールは不図示）に開閉移動可能に取り付けられている。
【００３２】
本実施形態に示した折れ戸１では、連結された２枚の戸体２、２がレール４に沿って移動できるようにするために、各戸体２には、ヒンジ結合されていないほうの側端部２ａの上部に、上部レール４に沿って移動自在なランナー部材３（以下、一対のランナー部材３を区別する場合には一方を第１のランナー部材３、他方を第２のランナー部材３という）が取り付けてある。このランナー部材３は、上部レール４に装着されることによって、戸体２を上下のレール４に沿って移動自在に支持している。なお、第１のランナー部材３と、第２のランナー部材３とは同一形状であり、同一のランナー部材３を相互反転させ端部が向かい合うようにして配している。
【００３３】
ランナー部材３は、略直方体形状の合成樹脂よりなる走行体３ａと、この走行体３ａにレール４内を回転可能に取り付けられた４輪（３輪でもよい）のガイドローラ３ｃと、走行体３ａの下端中央より下方に突き出た棒状の連結軸部３ｄとより構成されている。この連結軸部３ｄは、ランナー部材３をレール４に装着した状態では軸方向が垂直下方を向き、この連結軸部３ｄを戸体２の上部に回動可能に取り付けて、戸体２の下部を下部レールに移動自在に取り付けることで、戸体２はレール４に沿って水平方向に移動することが可能となっている。
【００３４】
また、走行体３ａの一方の端部には凹凸部３ｂが一体形成されている。この凹凸部３ｂは、一対のランナー部材３を取り付けた折れ戸１をレール４に移動自在に装着した状態では相対向し、開操作をして、図６に示すように２枚の戸体２がレール４に対して略直交し重なり合うように折れ戸１を完全に開いた状態にすると、両ランナー部材３は近接し、凹凸部３ｂ同士が実結合のごとく噛み合った状態となる。
【００３５】
本発明のランナー部材３はこの凹凸部３ｂに特徴を有するもので、その特徴点について、図１〜図５の各図を用いて説明する。
【００３６】
図１〜図３は、図６で斜視図を示したように、一対のランナー部材３を折れ戸１に取り付けた状態の底面図および要部拡大底面図であり、折れ戸１の完全な開状態（図３参照）となるまでの開動作の状態を図順にしたがって時系列に示している。図４は、図１の状態に対応した正面図である。図５はランナー部材３の拡大側面図である。
【００３７】
ランナー部材３の端部に配された凹凸部３ｂは、上部レール４に取り付けたときに垂直方向に延びる凹凸条として形成され、その凹凸条は第１突起１０と、第２突起２０と、それら突起間に配された凹所３０とによって形成されている。なお、上述したように、本実施形態の第１、第２のランナー部材３、３は同一形状であり、当然に両方の凹凸部３ｂ、３ｂも同一形状となっている。
【００３８】
ランナー部材３は、図６に示したように、凹凸部３ｂで構成された端部が相互に凹凸嵌合する構造である。より具体的には、第１のランナー部材（図中左側）の第２突起２０が、第２のランナー部材（図中右側）の第１突起１０、第２突起２０間の凹所３０に嵌入するとともに、第２のランナー部材の第２突起２０が、第１のランナー部材の第１突起１０、第２突起２０間の凹所３０に嵌入する構造となっている。
【００３９】
この第１突起１０は、凹所３０に隣接する側壁が傾斜壁１１に形成されている一方、他方の側壁１３の面は走行体３ａの長手方向に平行な面に形成されている。また、第２突起２０は、凹所３０に隣接する側壁２３面は走行体３ａの長手方向に平行な面に形成されている一方、他方の側壁は第１突起１０の傾斜した側壁と同一角度に傾斜した傾斜壁２１に形成されている。
【００４０】
すなわち、第１突起１０および第２突起２０は、同一方向を向く一方の側壁の面は同一角度に傾斜した傾斜面となって、全体として先細り形状となっており、また第１、第２突起１０、２０間に配された凹所３０は、第１突起１０の傾斜壁１１によって開口が底部よりも広がった形状となっている。また、この凹所３０は上述したように、相手のランナー部材３の第２突起２０と嵌合するものであるため、第２突起２０の外形とほぼ同一の外形となっている。
【００４１】
なお、このように傾斜壁１１、２１を備えた構造とした理由は、後述するように凹凸嵌合をしやすくするためであるが、第１、第２突起１０、２０のいずれもが傾斜壁１１、２１を備え、しかも同一方向を向く側壁を傾斜壁１１、２１としたのは、同一の形状のランナー部材３を一対の戸体２、２のそれぞれに対して利用できるようにするためである。
【００４２】
そして、この第１突起１０の傾斜壁１１の先端部には、凹所３０の開口を少し塞ぐように傾斜面から凹所３０側に突出した係合凸部１２が形成され、一方、第２突起２０の傾斜壁２１の基端部には、傾斜面に開口２２ａ（図５参照）を有した係合凹部２２が形成されている。
【００４３】
これらの係合凸部１２および係合凹所２２は、第１のランナー部材３の凹凸部３ｂと、第２のランナー部材３の凹凸部３ｂとが嵌合する際に、それと同時に、第１突起１０の係合凸部１２と、相手のランナー部材３の第２突起２０の係合凹所２２とが係合する関係となっている。
【００４４】
より具体的には、折れ戸１が半開状態から完全な開状態に変動していくにつれ、両方のランナー部材３は、凹凸部３ｂが図１中の白抜き矢印方向に向かって相互に近接していくと、第２突起２０が相手のランナー部材３の凹所３０に嵌入していき、折れ戸１が図３に示すような完全な開状態となると、ランナー部材３の端部同士は隙間なく凹凸嵌合する。この第２突起２０の凹所３０への相互嵌入の際に、第１突起１０の傾斜壁１１に形成された係合凸部１２が、第２突起２０の傾斜壁２１に形成された係合凹部２２に入り込んで係合して、両ランナー部材３の凹凸嵌合が保持される。
【００４５】
このように、凹凸部３ｂ同士の嵌合が係合凸部１２と係合凹部２２との係合によって保持されるので、折れ戸１をいったん完全な開状態としてしまえば、戸体２の揺れなどにより自然に戸体２の端部間が離れてしまうことはなく、閉操作がされるまで、その状態を維持させることができる。
【００４６】
また、第１突起１０および第２突起２０の同一方向を向く一方の側壁が傾斜壁１１、２１に形成され先細りの形状となっているとともに、第１突起１０と第２突起２０との間に配されている凹所３０がそれに対応して開口が底部よりも広がった形状となっているため、端部同士をスムーズに凹凸嵌合させることができる。
【００４７】
つまり、図２の拡大図に示すように、第２突起２０の凹所３０への嵌入の直前では第１突起１０の傾斜壁１１と、相手のランナー部材３の第２突起２０の傾斜壁２１との間隔Ｓが十分に開いており、端部間の近接が進むと徐々にその間隔Ｓが小さくなっていくが、第２突起２０の先端が凹所３０に入った段階でも十分な間隔Ｓがあるため、凹所３０の開口を塞ぐように突出した係合凸部１２によってじゃまされることなく第２突起２０を凹所３０に嵌入させることができる。
【００４８】
なお、第２突起２０を、第１突起１０の傾斜壁１１の係合凸部１２によって開口が狭まった相手のランナー部材３の凹所３０に確実にスムーズに嵌入させるためには、第２突起２０の先端の幅寸法Ｔ１が、凹所３０の開口の幅寸法Ｔ２よりも小さくなるように形成することが望ましい（図２の左側の拡大図参照）。
【００４９】
しかし、図例のように、係合凸部１２の突起先端側の角部１２ａに係合用ガイド面１２ｂを形成しておけば、凹所３０の開口幅Ｔ２と第２突起２０の先端の幅寸法Ｔ１との差がほとんどなくても第２突起２０を凹所３０にスムーズに嵌合させることができる。さらに、図例のように、係合凹部２２の突起先端側の角部２２ｂに係合解除用ガイド面２２ｃを形成しておけば、係合凹所２２からの係合凸部１２の抜き出しをスムーズにさせ、ランナー部材３の端部間の嵌合解除もスムーズにさせることができる。
【００５０】
また、本実施形態では、第１突起１０には肉抜き凹部１４が形成されている。つまり、第１突起１０はこの肉抜き凹部１４によって薄肉に形成されて弾性変形しやすい構造となっており、相手のランナー部材３の第２突起２０が凹所３０に嵌入してきたときに、係合凸部１２の突出によって凹所３０の開口が狭くなっている場合でも、第２突起２０の嵌入によって第１突起１０が弾性変形して凹所３０の空間が第１突起１０側に押し広げられるので、スムーズに端部間の凹凸嵌合をさせることができる。
【００５１】
なお、凹凸嵌合する際には、第２突起２０が相手ランナー部材の第１突起１０と第２突起２０とに挟まれる突起であるため、第２突起２０を弾性変形しやすい形状としなくてもよい。また本例においては、図４に示すように、材料軽減のための肉抜き凹部９は種々の箇所に形成されている。
【００５２】
以上のように、種々の構造的特徴により、ランナー部材３同士をスムーズに凹凸嵌合させるようになっており、そのため端部間を隙間のない状態で嵌合させるような端部構造とすることができ、その結果、がたつきなく嵌合状態を維持させることができる。
【００５３】
以上に示した実施形態では、第１突起１０が係合凸部１２を有し、第２突起２０が係合凹部２２を有したランナー部材３を示したが、それとは逆に、第１突起１０が係合凹部を有し、第２突起２０が係合凸部を有した構成としてもよい。なお、この場合においても、第１突起１０に肉抜き凹部１４を形成して、弾性変形しやすくすることが望ましい。
【００５４】
また、以上に示した実施形態では、ランナー部材３を２枚の戸体３、３のそれぞれに取り付けた例を示したが、一方の戸体を柱（縦枠）に固定し、側端部の上部に上記ランナー部材３に代わる固定部材を装着した折れ戸にも適用できる。その場合には、その固定部材の端部には、上記ランナー部材３の端部に形成された凹凸部３ｂと同一形状の凹凸部を形成させれば、ランナー部材３と固定部材との端部同士の嵌合状態を保持させることができる。
【００５５】
また、以上に示したランナー部材３は折れ戸１に適用したものであるが、例えば、開閉可能な間仕切り用の引き戸などにも適用可能である。
【００５６】
さらに、上記実施形態に示したランナー部材３は下部レールに適用可能であることはいうまでもない。
【符号の説明】
【００５７】
１      折れ戸
２      戸体
３      ランナー部材
４      上部レール（レール）
１０      第１突起
１１      傾斜壁
１２      係合凸部
１２ａ      突起先端側の角部
１２ｂ      係合用ガイド面
１３      （他の）側壁
１４      肉抜き凹部
２０      第２突起
２１      傾斜壁
２２      係合凹部
２２ａ      開口
２２ｂ      突起先端側の開口角部
２２ｃ      係合解除用ガイド面
２３      他の側壁
３０      凹所
【図１】
0005448063.tif 000002
【図２】
0005448063.tif 000003
【図３】
0005448063.tif 000004
【図４】
0005448063.tif 000005
【図５】
0005448063.tif 000006
【図６】
0005448063.tif 000007